(57)【特許請求の範囲】
【請求項１】
線材が差し込まれたトンスケースに、くさび状のトンス爪が装着されることにより、線材が保持され、トンス爪がトンスケースから外されると、線材が解放されるトンス装置であって、トンス爪にピンが突設され、ピンを押える凹部を有するレバーと、レバーをトンス爪に対して移動可能に保持する保持ケースと、レバーをトンス爪に向かって付勢する付勢体とを備え、保持ケースはトンスケースに支軸周りに回動可能に取り付けられ、保持ケースは、トンス爪をトンスケースに着脱できるようにレバーの凹部がトンス爪のピンから離れた待機状態と、線材を保持しているトンス爪を押えているレバーの凹部を付勢体の付勢力によってトンス爪に押し込んで手放しで作業可能な固定状態との間で回動されることを特徴とするトンス装置。
【請求項２】
線材が差し込まれたトンスケースに、くさび状のトンス爪が装着されることにより、線材が保持され、トンス爪がトンスケースから外されると、線材が解放されるトンス装置であって、トンス爪にピンが突設され、トンス爪に手を触れずにトンス爪をトンスケースから外して線材を解放するトンス爪取外機を含み、トンス爪取外機は、トンス爪のピンを把持するホルダ部と、ホルダ部に取り付けられたシャフトと、シャフトにスライド可能に嵌められた取手とから構成され、シャフトの一端に取手が外れないように止める頭部が設けられ、取手をシャフトの一端側に向かってスライドさせて頭部に当てたときの衝撃でトンス爪を一端側に向かって移動させて、ホルダ部がトンス爪のピンを把持したままトンスケースからトンス爪が外されることを特徴とするトンス装置。
【発明の詳細な説明】
【技術分野】
【０００１】
本発明は、トンス爪の着脱によって巻取ドラムに巻き取られる線材の保持と解放を行うトンス装置に関する。
【背景技術】
【０００２】
伸線機によって引き抜かれた線材を巻取ドラムに巻き取るとき、巻取ドラムに取り付けられたトンス装置で線材が保持される。トンス装置は、トンスケースとトンス爪とを備え、トンスケースに線材を差し込んでくさび状のトンス爪を装着すると、線材が保持される。線材の保持後、線材を巻取ドラムに巻き付けるために巻取ドラムを回転させるとき、トンス爪が落下しないようにオペレータが手でトンス爪を押えている。線材を巻き取った後、線材をトンス装置から解放するとき、ハンマーなどを用い、トンス爪の先端を叩いてトンスケースから外す。このとき、トンス爪が落下しないように手でトンス爪を押えながら外す。このように、トンス爪を装着して線材を巻き始めるときやトンス爪を外すとき、トンス爪を手で押えなければならない
【０００３】
特許文献１には、線材の保持と解放を容易に行えるトンス装置が記載されている。トンスケースに対して着脱可能なトンス爪にコイルばねが挿入され、コイルばねの後端がトンスケースに設けられた止めピンに係止され、コイルばねによってトンス爪が線材を挟み込む方向に付勢される。線材を保持するとき、トンスケースに装着されたトンス爪を手で少し引き出してから線材を差し込み、手を離すとコイルばねの付勢力によりトンス爪がスライドして、線材が保持される。線材を解放するとき、トンス爪をハンマーで叩いた後、手でトンス爪を引っ張って、線材を引き抜く。
【先行技術文献】
【特許文献】
【０００４】
【特許文献１】特開２００２−１１５１７号公報
【発明の概要】
【発明が解決しようとする課題】
【０００５】
特許文献１のトンス装置では、線材を保持するときや解放するときには、トンス爪を手で引き出しながら作業しなければならない。このとき、トンス爪はコイルばねによって付勢されているので、トンス爪は戻ろうとし、手を挟むおそれがある。
【０００６】
本発明は、上記に鑑み、トンス爪に直接手を触れずにトンス爪による線材の保持あるいは線材の開放を容易に行えるトンス装置の提供を目的とする。
【課題を解決するための手段】
【０００７】
本発明のトンス装置は、線材が差し込まれたトンスケースに、くさび状のトンス爪が装着されることにより、線材が保持され、トンス爪がトンスケースから外されると、線材が解放されるものであって、トンス爪にピンが突設され、ピンを押える凹部を有するレバーと、レバーをトンス爪に対して移動可能に保持する保持ケースと、レバーをトンス爪に向かって付勢する付勢体とを備え、保持ケースはトンスケースに支軸周りに回動可能に取り付けられる。保持ケースは、トンス爪をトンスケースに着脱できるようにレバーの凹部がトンス爪のピンから離れた待機状態と線材を保持しているトンス爪を押えているレバーの凹部を付勢体の付勢力によってトンス爪に押し込んで手放しで作業可能な固定状態との間で回動される。
【０００８】
待機状態のとき、トンス爪は固定されていないので、トンスケースに線材を差し込んだり、線材をトンスケースから解放できる。固定状態のとき、トンス爪はレバーにより押えられるので、トンス爪に手を触れなくても線材を保持できる。
【０００９】
また、トンス爪に突設されたピンを把持するホルダ部と、ホルダ部に取り付けられたシャフトと、シャフトにスライド可能に嵌められた取手とから構成され、シャフトの一端に取手が外れないように止める頭部が設けられる。取手をシャフトの一端側に向かってスライドさせて頭部に当てたときの衝撃でトンス爪を一端側に向かって移動させると、手を触れることなくホルダ部でトンス爪を把持したままトンスケースからトンス爪が外れる。トンス爪が外れることにより、線材が解放され、線材とトンス装置とが離れる。
【発明の効果】
【００１０】
本発明によると、トンス爪をレバーによって押えることにより、トンス爪に直接手を触れずに線材を保持することができ、手放しで線材を巻取ドラムに巻き付けることができ、安全に作業を行える。また、トンス爪を把持して、取手をスライドさせることにより、トンス爪がトンスケースから外れて、トンス爪に直接手を触れずに線材を解放することができ、安全に作業を行える。
【図面の簡単な説明】
【００１１】
【図１】本発明の実施形態に係る巻取ドラムに取り付けられたトンス装置を示す図
【図２】トンス爪固定装置の断面図
【図３】トンス爪固定装置の正面図
【図４】トンス爪取外機の使用状態を示す図
【図５】トンス爪取外機の断面図
【発明を実施するための形態】
【００１２】
本発明の実施形態に係るトンス装置を図１に示す。トンス装置は、伸線された線材Ｗを巻取ドラム１に巻き付けるときに線材Ｗの始端を保持するために使用され、縦軸周りに回転する巻取ドラム１に取り付けられるトンスケース２と、トンスケース２に装着されるトンス爪３とを備えている。トンスケース２の一側（線材Ｗの始端側）にチェーン４が連結され、チェーン４の一側にロック装置５付きのフック６が連結され、フック６は巻取ドラム１に形成された溝７に係止される。
【００１３】
トンスケース２は、筒状に形成され、外側壁が一側から他側に向かうにつれて内側壁に近づくように形成されている。トンスケース２の一側が他側よりも大きく開口され、一側からトンス爪３が挿入され、他側から線材Ｗが差し込まれる。トンス爪３は、他側が先細になったくさび状に形成され、トンスケース２の外側壁に対向する外面が傾斜面とされ、内側壁に対向する内面が緩やかな湾曲面とされる。トンス爪３の一側にピン１０が突設されている。ピン１０は、円筒形の頭部１０ａを有するＴ字状に形成されたものであり、ここでは六角穴付きボルトが用いられる。このボルトは、トンス爪３に固定されたナット１１にねじ込まれて、トンス爪３に固定される。
【００１４】
そして、図２、３に示すように、トンス装置は、線材Ｗを巻取ドラム１に巻き始めるときにトンス爪３が落下しないようにトンス爪３をトンスケース２に固定するトンス爪固定装置を備えている。トンス爪固定装置は、ピン１０を押える凹部１２を有するレバー１３と、レバー１３をトンス爪３に対して近接離間するように移動可能に保持する保持ケース１４と、レバー１３をトンス爪３に向かって付勢する付勢体１５とを備える。
【００１５】
保持ケース１４は、コの字状に形成され、保持ケース１４の基端側がトンスケース２を上下から挟むように支軸１６周りに回動可能にトンスケース２に取り付けられる。レバー１３は、保持ケース１４の先端面に形成された孔に挿通され、レバー１３の先端側に把手１７が設けられ、基端側に凹部１２が設けられる。凹部１２は、トンス爪３のピン１０の頭部１０ａが入るように凹んだ形状とされ、レバー１３に一体的に形成される。付勢体１５は、コイルばねとされ、凹部１２と保持ケース１４の先端面との間に介装される。付勢体１５は、凹部１２を基端側に向かって押すように付勢している。凹部１２および付勢体１５は、保持ケース１４に覆われる。
【００１６】
保持ケース１４は、トンスケース２の外側壁側に位置する待機状態とトンスケース２の一側に位置する固定状態との間で回動される。待機状態では、トンス爪３をトンスケース２に着脱できるようにレバー１３の凹部１２がトンス爪３のピン１０から離れた状態となる。固定状態では、線材Ｗを保持しているトンス爪３を押えているレバー１３の凹部１２を付勢体１５の付勢力によってトンス爪３に押し込んで手放しで作業可能な状態となる。
【００１７】
伸線された線材Ｗを巻取ドラム１に巻き付けるとき、まず線材Ｗをトンスケース２に差し込み、トンス爪３を装着した後、レバー１３を引きながら待機状態にある保持ケース１４を回動する。保持ケース１４が固定状態の位置まで回動すると、レバー１３から手を放す。付勢体１５の付勢力によりレバー１３が他側に向かって移動して、レバー１３の凹部１２にトンス爪３のピン１０の頭部１０ａが嵌まり込み、レバー１３によってトンス爪３が押し込まれ、トンス爪３がトンスケース２から落下しないように固定される。このように、線材Ｗを巻取ドラム１に巻き付ける際に、トンス爪３を手で押える必要がなくなり、手を触れずにトンス爪３を固定することができる。したがって、線材Ｗの巻き付け作業を手放しで安全かつ確実に行うことができる。
【００１８】
線材Ｗが巻取ボビン１に巻き取られると、線材Ｗはトンス装置から解放される。そのため、トンス爪３をトンスケース２から取り外す必要がある。このトンス装置には、トンス爪３をトンスケース２から外して線材Ｗを解放するトンス爪取外機が含まれる。図４、５に示すように、トンス爪取外機は、トンス爪３の頭部に突設されたピン１０を把持するホルダ部２０と、ホルダ部２０に取り付けられたシャフト２１と、シャフト２１にスライド可能に嵌められた取手２２とから構成される。
【００１９】
シャフト２１は、ボルト状に形成され、一側に頭部２３が設けられ、他側がホルダ部２０に固定されたナット２４にねじ込まれて、シャフト２１はホルダ部２０に着脱可能に取り付けられる。ホルダ部２０に、ピン１０を引っ掛けて把持するための把持溝２５が形成されている。把持溝２５は、ピン１０の頭部１０ａが入って引っ張ったときに抜けないようにＴ形に形成される。また、ホルダ部２０には、プランジャ２６が設けられ、把持溝２５に挿入されたピン１０に当接して、ピン１０がホルダ部２０から抜けないように固定する。取手２２は、貫通孔２７を有し、取手２２の表面は滑らないようにローレット加工されている。貫通孔２７にシャフト２１が差し込まれ、シャフト２１の他側にホルダ部２０が取り付けられる。取手２２は、ホルダ部２０とシャフト２１の頭部２３との間でスライドする。
【００２０】
線材Ｗをトンス装置から解放するとき、トンス爪３のピン１０をホルダ部２０の把持溝２５に挿入する。そして、取手２２を一側に向かってスライドさせる。取手２２がシャフト２１の頭部に当たったときの衝撃でトンス爪３を一側に向かって移動させる。トンス爪３が徐々に移動して、トンス爪３と線材Ｗとの間に隙間ができ、トンス爪３はトンス爪取外機に把持されたままトンスケース２から引き出され、線材Ｗが解放されて、トンス装置から離すことができる。このように、トンス爪３を外すとき、トンス爪３に直接手を触れずに外す作業を行うことができる。しかも、トンス爪３が外れた後、トンス爪３はホルダ部２０に把持されたままであるので、落下することがなく安全である。
【００２１】
なお、本発明は、上記実施形態に限定されるものではなく、本発明の範囲内で上記実施形態に多くの修正および変更を加え得ることは勿論である。トンス爪３のピン１０は、Ｔ字状に限らず、Ｌ字状に形成してもよい。付勢体１５は、弾性力のあるゴムとしてもよい。
【符号の説明】
【００２２】
１    巻取ドラム
２    トンスケース
３    トンス爪
１０    ピン
１２    凹部
１３    レバー
１４    保持ケース
１５    付勢体
２０    ホルダ部
２１    シャフト
２２    取手
２３    頭部
２５    把持溝
Ｗ    線材
【要約】
【課題】トンス爪に直接手を触れずに線材の保持を容易に行えるトンス装置を提供する。
【解決手段】トンスケース２に装着されるくさび状のトンス爪３にピン１０が突設される。ピン１０を押える凹部１２を有するレバー１３と、レバー１３をトンス爪３に対して移動可能に保持する保持ケース１４と、レバー１３をトンス爪３に向かって付勢する付勢体１５とを備え、保持ケース１４はトンスケース２に支軸１６周りに回動可能に取り付けられる。保持ケース１４は、トンス爪３をトンスケース２に着脱できるようにレバー１３の凹部１２がトンス爪３のピン１０から離れた待機状態と線材Ｗを保持しているトンス爪３を押えているレバー１３の凹部１２を付勢体１５の付勢力によってトンス爪３に押し込んで手放しで作業可能な固定状態との間で回動される。固定状態のとき、トンス爪３はレバー１３により押えられ、トンス爪３に手を触れなくても線材Ｗが保持される。
【選択図】図２【図１】
0006888858.tif 000002
【図２】
0006888858.tif 000003
【図３】
0006888858.tif 000004
【図４】
0006888858.tif 000005
【図５】
0006888858.tif 000006